(57)【要約】 【課題】装置本体を放置した可能性が高い場合にそのことを知らせることができるようにする。 【解決手段】中央制御部１１は、衝撃センサ２３からの検出信号に基づいて所定の衝撃を受けたか否かを判別すると共に、所定の衝撃を受けてから所定時間が経過したか否かを判別することによって装置本体が放置されている可能性があるか否かを判別し、放置の可能性があれば、その旨を知らせるアラーム報知処理、メール通知処理を実行する。 【選択図】  図２
2008244537.tif 000002
【特許請求の範囲】
【請求項１】
装置本体に加わる衝撃を検出する衝撃センサを備えた携帯端末装置であって、
前記衝撃センサからの検出信号に基づいて所定の衝撃を受けたか否かを判別すると共に、所定の衝撃を受けてから所定時間が経過したか否かを判別することによって装置本体が放置されているか否かを判別する判別手段と、
この判別手段によって放置の可能性があると判別された場合に、その旨を知らせる所定処理を実行する処理実行手段と、
を具備したことを特徴とする携帯端末装置。
【請求項２】
前記判別手段は、前記衝撃センサの検出信号の推移を時系列的に監視することによって装置本体に所定の衝撃が加わったか否かを判別する、
ようにしたことを特徴とする請求項１記載の携帯端末装置。
【請求項３】
装置本体に加わる衝撃を検出する衝撃センサを備えた携帯端末装置であって、
前記衝撃センサからの検出信号に基づいて所定の衝撃を受けたか否かを判別すると共に、所定の衝撃を受けた場合に装置本体が使用状態にあるか否かを判別することによって装置本体が放置されているか否かを判別する判別手段と、
この判別手段によって放置の可能性があると判別された場合に、その旨を知らせる所定処理を実行する処理実行手段と、
を具備したことを特徴とする携帯端末装置。
【請求項４】
外部環境を検出する環境センサを備えた携帯端末装置であって、
前記環境センサからの検出信号に基づいて環境変化の有無を判別すると共に、環境が変化してから所定時間が経過したか否かを判別することによって装置本体が放置されているか否かを判別する判別手段と、
この判別手段によって放置の可能性があると判別された場合に、その旨を知らせる所定処理を実行する処理実行手段と、
を具備したことを特徴とする携帯端末装置。
【請求項５】
外部環境を検出する環境センサを備えた携帯端末装置であって、
前記環境センサからの検出信号に基づいて環境変化の有無を判別すると共に、環境が変化した場合に装置本体が使用状態にあるか否かを判別することによって装置本体が放置されているか否かを判別する判別手段と、
この判別手段によって放置の可能性があると判別された場合に、その旨を知らせる所定処理を実行する処理実行手段と、
を具備したことを特徴とする携帯端末装置。
【請求項６】
装置本体が人体に持たれている状態を検出する人体センサを有し、
前記判別手段は、前記人体センサからの検出信号も加味して放置の可能性があるか否かを判別する、
ようにしたことを特徴とする請求項１、３、４、５いずれか記載の携帯端末装置。
【請求項７】
前記所定処理は、装置本体が放置されている状態にあることをアラーム報知するアラーム処理、予め決められている相手に対して装置本体が放置されている状態にあることを通知する通知処理のうち、少なくともいずれか一方の処理である、
ようにしたことを特徴とする請求項１、３、４、５いずれか記載の携帯端末装置。
【請求項８】
前記処理実行段は、前記アラーム処理を実行したのち、所定時間の経過時に前記通知処理を実行する、
ようにしたことを特徴とする請求項７記載の携帯端末装置。
【請求項９】
前記判別手段は、装置本体の使用状態を判別するほか、装置本体が使用状態にないと判別してから所定時間が経過したか否かを判別することによって放置の可能性があるか否かを判別する、
ようにしたことを特徴とする請求項３、５いずれか記載の携帯端末装置。
【請求項１０】
装置本体を構成する複数の筐体の開閉状態を検出する開閉検出手段を更に設け、
前記判別手段は、前記開閉検出手段によって開状態から閉状態に変化したことが検出された場合に、装置本体が使用状態にないと判別する、
ようにしたことを特徴とする請求項３、５いずれか記載の携帯端末装置。
【請求項１１】
前記判別手段は、所定の動作状態にあるか否かに基づいて装置本体が使用状態にあるか否かを判別する、
ようにしたことを特徴とする請求項３、５いずれか記載の携帯端末装置。
【請求項１２】
コンピュータに対して、
衝撃センサからの検出信号に基づいて所定の衝撃を受けたか否かを判別すると共に、所定の衝撃を受けてから所定時間が経過したか否かを判別することによって装置本体が放置されているか否かを判別する機能と、
放置の可能性があると判別された場合に、その旨を知らせる所定処理を実行する機能と、
を実現させるためのプログラム。
【請求項１３】
コンピュータに対して、
衝撃センサからの検出信号に基づいて所定の衝撃を受けたか否かを判別すると共に、所定の衝撃を受けた場合に装置本体が使用状態にあるか否かを判別することによって装置本体が放置されているか否かを判別する機能と、
放置の可能性があると判別された場合に、その旨を知らせる所定処理を実行する機能と、
を実現させるためのプログラム。
【請求項１４】
コンピュータに対して、
環境センサからの検出信号に基づいて環境変化の有無を判別すると共に、環境が変化してから所定時間が経過したか否かを判別することによって装置本体が放置されているか否かを判別する機能と、
放置の可能性があると判別された場合に、その旨を知らせる所定処理を実行する機能と、
を実現させるためのプログラム。
【請求項１５】
コンピュータに対して、
環境センサからの検出信号に基づいて環境変化の有無を判別すると共に、環境が変化した場合に装置本体が使用状態にあるか否かを判別することによって装置本体が放置されているか否かを判別する機能と、
放置の可能性があると判別された場合に、その旨を知らせる所定処理を実行する機能と、
を実現させるためのプログラム。
【発明の詳細な説明】
【技術分野】
【０００１】
この発明は、衝撃センサあるいは環境センサを備えた携帯端末装置及びプログラムに関する。
【背景技術】
【０００２】
近年、携帯電話装置をユーザのポケットあるいはカバンなどから落とし、それに気付かずに紛失してしまう事故が相次いでいる。
このような場合、従来では、携帯電話装置を落としたときの衝撃を検出したときに緊急動作モードに切り替えて所定の連絡先に対して通知するようにした技術が知られている（特許文献１参照）。
【特許文献１】特開２００６−２７９８３７号公報
【発明の開示】
【発明が解決しようとする課題】
【０００３】
しかしながら、この先行技術にあっては、衝撃が加わる毎に緊急動作モードに切り替えられてしまうため、例えば、何かにぶつけただけでも緊急通知が行われてしまい、無駄な通知によってその通知先に迷惑をかけるほか、信頼性の点でも問題となっていた。
【０００４】
この発明の課題は、装置本体を放置した可能性が高い場合にそのことを知らせることができるようにすることである。
【課題を解決するための手段】
【０００５】
請求項１記載の発明（第１の発明）は、装置本体に加わる衝撃を検出する衝撃センサを備えた携帯端末装置であって、前記衝撃センサからの検出信号に基づいて所定の衝撃を受けたか否かを判別すると共に、所定の衝撃を受けてから所定時間が経過したか否かを判別することによって装置本体が放置されているか否かを判別する判別手段と、この判別手段によって放置の可能性があると判別された場合に、その旨を知らせる所定処理を実行する処理実行手段とを具備したことを特徴とする。
更に、コンピュータに対して、上述した請求項１記載の発明に示した主要機能を実現させるためのプログラムを提供する（請求項１２記載の発明）。
【０００６】
なお、上述した請求項１記載の発明は次のようなものであってもよい。
前記判別手段は、前記衝撃センサの検出信号の推移を時系列的に監視することによって装置本体に所定の衝撃が加わったか否かを判別する（請求項２記載の発明）。
【０００７】
装置本体が人体に持たれている状態を検出する人体センサを有し、前記判別手段は、前記人体センサからの検出信号も加味して放置の可能性があるか否かを判別する（請求項６記載の発明）。
【０００８】
前記所定処理は、装置本体が放置されている状態にあることをアラーム報知するアラーム処理、予め決められている相手に対して装置本体が放置されている状態にあることを通知する通知処理のうち、少なくともいずれか一方の処理である（請求項７記載の発明）。
【０００９】
請求項７記載の発明において、前記処理実行段は、前記アラーム処理を実行したのち、所定時間の経過時に前記通知処理を実行するようにしてもよい（請求項８記載の発明）。
【００１０】
請求項３記載の発明（第２の発明）は、装置本体に加わる衝撃を検出する衝撃センサを備えた携帯端末装置であって、前記衝撃センサからの検出信号に基づいて所定の衝撃を受けたか否かを判別すると共に、所定の衝撃を受けた場合に装置本体が使用状態にあるか否かを判別することによって装置本体が放置されているか否かを判別する判別手段と、この判別手段によって放置の可能性があると判別された場合に、その旨を知らせる所定処理を実行する処理実行手段とを具備したことを特徴とする。
更に、コンピュータに対して、上述した請求項３記載の発明に示した主要機能を実現させるためのプログラムを提供する（請求項１３記載の発明）。
【００１１】
なお、上述した請求項３記載の発明は、上述した請求項６〜８記載発明を適用してもよく、更に、次のようなものであってもよい。
前記判別手段は、装置本体の使用状態を判別するほか、装置本体が使用状態にないと判別してから所定時間が経過したか否かを判別することによって放置の可能性があるか否かを判別する（請求項９記載の発明）。
【００１２】
装置本体を構成する複数の筐体の開閉状態を検出する開閉検出手段を更に設け、前記判別手段は、前記開閉検出手段によって開状態から閉状態に変化したことが検出された場合に、装置本体が使用状態にないと判別する（請求項１０記載の発明）。
【００１３】
前記判別手段は、所定の動作状態にあるか否かに基づいて装置本体が使用状態にあるか否かを判別する（請求項１１記載の発明）。
【００１４】
請求項４記載の発明（第３の発明）は、外部環境を検出する環境センサを備えた携帯端末装置であって、前記環境センサからの検出信号に基づいて環境変化の有無を判別すると共に、環境が変化してから所定時間が経過したか否かを判別することによって装置本体が放置されているか否かを判別する判別手段と、この判別手段によって放置の可能性があると判別された場合に、その旨を知らせる所定処理を実行する処理実行手段とを具備したことを特徴とする。
更に、コンピュータに対して、上述した請求項４記載の発明に示した主要機能を実現させるためのプログラムを提供する（請求項１４記載の発明）。
なお、上述した請求項４記載の発明は、上述した請求項６〜８記載の発明を適用するようにしてもよい。
【００１５】
請求項５記載の発明（第４の発明）は、外部環境を検出する環境センサを備えた携帯端末装置であって、前記環境センサからの検出信号に基づいて環境変化の有無を判別すると共に、環境が変化した場合に装置本体が使用状態にあるか否かを判別することによって装置本体が放置されているか否かを判別する判別手段と、この判別手段によって放置の可能性があると判別された場合に、その旨を知らせる所定処理を実行する処理実行手段とを具備したことを特徴とする。
更に、コンピュータに対して、上述した請求項５記載の発明に示した主要機能を実現させるためのプログラムを提供する（請求項１５記載の発明）。
なお、上述した請求項５記載の発明は、上述した請求項６〜１１記載発明を適用してもよい。
【発明の効果】
【００１６】
第１〜第４の発明は、装置本体を放置した可能性が高い場合にそのことを知らせることができ、信頼性を高めることが可能となる。
【発明を実施するための最良の形態】
【００１７】
（実施例１）
以下、図１〜図４を参照して本発明の第１実施例を説明する。
この実施例は、携帯端末装置として折畳型（開閉型）の携帯電話装置に適用した場合を例示したもので、図１は、この携帯電話装置の外観図である。
携帯電話装置は、通話機能、電子メール機能、インターネット接続機能（Ｗｅｂアクセス機能）のほか、装置本体を落とした可能性が高い場合にそのことを報知する落下報知機能を有している。この装置本体は、２つの筐体で構成され、表示部側筐体１と操作部側筐体２とをヒンジ部３を介して開閉可能に連結した構成となっている。図１（Ａ）は、表示部側筐体１の表示面１Ａが操作部側筐体２の操作面２Ａに対面するように表示部側筐体１を操作部側筐体２に重ね合わせた状態（装置本体を折り畳んで閉じた状態）を示し、また、図１（Ｂ）は、装置本体を折り畳んだ図１（Ａ）の状態から表示部側筐体１を開いた状態を示している。
【００１８】
図２は、この携帯電話装置の基本的な構成要素を示したブロック図である。
中央制御部１１は、二次電池を備えた電源部１２からの電力供給によって動作し、記憶部１３内の各種のプログラムに応じてこの携帯電話装置の全体動作を制御する。この記憶部１３は、ＲＯＭ、ＲＡＭを有する構成で、そのプログラム領域には、後述する図４に示す動作手順に応じて本実施例を実現するためのプログラムが格納され、また、そのデータ領域には、後述するアドレス帳ＡＤなどが設けられている。無線通信部１４は、アンテナに接続された送受信部（ベースバンド部）の受信側から信号を取り込んで受信ベースバンド信号に復調したのちに、通話部１５を介して受話スピーカ１６から音声出力させる。そして、無線通信部１４は、送話マイク１７から入力された音声データを通話部１５から取り込み、送信ベースバンド信号に符号化したのちに送受信部の送信側に与えられてアンテナから送信出力させる。
【００１９】
一方、電子メール機能あるいはインターネット接続機能によって無線通信部１４を介して受信取得した表示データは、高品位表示が可能なＬＣＤ（液晶表示装置）などの表示部１８に与えられて表示出力される。操作部１９は、各種の操作キー、ポインティングデバイスなどを有し、ダイヤル入力、文字入力、コマンド入力などを行うもので、中央制御部１１は、操作部１９からの操作入力信号に応じた処理を実行する。報知部２０は、着信報知などの報知用のスピーカ、ＬＥＤ（発光ダイオード）、振動モータを備え、電話・メール着信時に駆動されて着信報知を行うほか、アラーム報知時にも駆動される。スタイル検出センサ２１は、表示部側筐体１と操作部側筐体２との開閉状態を検出する磁気センサあるいはマイクロスイッチなどであり、中央制御部１１は、その検出信号に基づいて表示部側筐体１と操作部側筐体２とが開いているオープンスタイルか、それらが閉じているクローズスタイルかを判別する。ＧＰＳ（Global Positioning System）部２２は、衛星と地上の制御局を利用して現在位置（経緯度）を受信取得する。
【００２０】
衝撃センサ２３は、装置本体に加わる振動（衝撃）を検知する加速度センサを構成するもので、その衝撃の強弱などによって様々な状態を検出する。すなわち、大きな衝撃が加わった場合にその衝撃の強弱及びその変化の規則性などから装置本体を落としたことを検出したり、その直後の衝撃無しの検出で装置本体を落としたまま放置されている状態であることを検出したり、この放置状態から僅かな衝撃を受けたことによって装置本体が拾い上げられた状態にあることを検出したりする。体温センサ２４は、装置本体を人体が接触しているときに熱伝導される体温を検出する接触センサ（人体センサ）を構成するもので、温度の変化量などに応じて中央制御部１１は装置本体が持たれている状態であるか否かを判別する。導体センサ２５は、装置本体を人体（導体）が接触していることを検出する接触センサ（人体センサ）を構成するもので、接触有無に応じて中央制御部１１は装置本体が持たれている状態であるか否かを判別する。
【００２１】
衝撃センサ２３からの検出信号に基づいて中央制御部１１は、所定の衝撃を受けたか否かを判別すると共に、所定の衝撃を受けてから所定時間が経過したか否かを判別することによって装置本体が放置されている可能性があるか否かを判別し、放置の可能性があれば、その旨を知らせるアラーム報知処理、メール通知処理を実行するようにしている。ここで、中央制御部１１は衝撃センサ２３の検出結果に応じて放置の可能性を判別するようにしているが、必要に応じて体温センサ２４、導体センサ２５の検出結果も加味して判別するようにしている。
【００２２】
光センサ２６は、例えば、光導電セルなどによって構成され、外光（自然光、人工光）を検知することによって周囲環境の明るさ変化を検出する。すなわち、環境の明るさが“明”から“暗”に変化したか、逆に“暗”から“明”に変化したかを検出するもので、中央制御部１１は、光センサ２６からの検出信号に基づいて“暗”から“明”への変化であれば、ユーザのポケットあるいはカバンなどから携帯電話が落ちたり、はみ出たりした可能性が高く、逆に、“明”から“暗”への変化であれば、何かの下に携帯電話が隠れてしまった可能性が高いと判断することができる。
【００２３】
図３は、アドレス帳ＡＤを説明するための図である。
アドレス帳ＡＤは、通信相手毎に、その相手に関する情報を記憶管理するもので、「相手名前」、「電話番号」、「メールアドレス」、「通知先フラグ」の各項目を有し、その内容は、ユーザ操作によって任意に設定された情報である。「通知先フラグ」は、装置本体が放置されている可能性が高い場合にそのことをメールで通知する相手を特定するもので、例えば、子供用の携帯電話装置に対してはその家族が通知先として指定される。なお、この「通知先フラグ」によって通知先が複数指定されている場合には、この複数人に対して一斉にメール通知するようにしている。
【００２４】
次に、この第１実施例における携帯電話装置の動作概念を図４に示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００２５】
図４は、衝撃センサ２３による衝撃検出で実行開始される第１実施例の特徴部分を示したフローチャートであり、この図４のフローから抜けた際には、全体動作のフロー（図示省略）に戻る。
先ず、中央制御部１１は、衝撃センサ２３からの検出信号を定期的（例えば、１秒毎）に監視しており、その検出信号に応じて装置本体に衝撃が加わったことの検出で、図４のフローを実行開始し、所定の衝撃を受けたか、つまり、衝撃強度は第１レベル以上かを判別する（ステップＡ１）。ここで、衝撃が小さく第１レベル未満の衝撃であれば（ステップＡ１でＮＯ）、装置本体を落としたことによる衝撃ではないと判断して図４のフローから抜けるが、第１レベル以上の衝撃であれば（ステップＡ１でＹＥＳ）、更に、第２レベル以上の衝撃かを判別する（ステップＡ２）。
【００２６】
いま、第２レベル以上の衝撃であれば（ステップＡ２でＹＥＳ）、装置本体を落とした可能性があると判断してステップＡ３に移り、衝撃センサ２３からの検出信号に基づいて加速度は“０”か、つまり、落下による衝撃（振動）が無くなったかを調べ、それが安定するまで（振動が無くなるまで）待機状態となる。この場合、中央制御部１１は、衝撃センサ２３からの検出信号の推移を時系列的に監視することによって装置本体に所定の衝撃が加わったか否かを判別する。すなわち、第２レベル以上の衝撃を受けてからその衝撃が徐々に減衰して落下による振動が無くなったか否かに基づいて装置本体を落としたことによる衝撃を受けたか否かを判別する。
【００２７】
また、第１レベル以上で第２レベル未満の衝撃であれば（ステップＡ２でＮＯ）、ステップＡ３に移り、体温センサ２４、導体センサ２５の検出信号に基づいて装置本体が把持されているか否かを調べる。すなわち、中央制御部１１は、体温センサ２４による検出温度の変化量などに応じて装置本体が持たれているか否かを判別し、導体センサ２５による接触有無に応じて装置本体が持たれているか否かを判別するが、少なくともそのいずれか一方において、手に持たれていると判断したときには（ステップＡ３でＹＥＳ）、装置本体を落としたことによる衝撃ではないと判断して図４のフローから抜ける。また、衝撃を受けたときに手に持たれていなければ（ステップＡ３でＮＯ）、装置本体を落とした可能性があると判断してステップＡ４に移り、落下による衝撃が無くなるまで待機状態となる。
【００２８】
ここで、落下による振動が無くなると（ステップＡ４でＹＥＳ）、報知部２０を構成するスピーカを駆動して小音量の単一音（アラーム音）を発生させたのち（ステップＡ５）、加算タイマ（図示せず）の計時動作を開始させる（ステップＡ６）。この加算タイマは、落下による衝撃を受けてからの経過時間を計時するもので、加算タイマをスタートさせたのち、再び、衝撃センサ２３をアクセスして加速度（振動）の有無を調べる（ステップＡ７）。ここで、アラーム報知によってユーザ本人が落としたことに気付き、拾い上げたときには、その行為によって振動が加わるので、上述のステップＡ７は、拾い上げたか否かを判別する。いま、振動が無ければ（放置されたままであれば）、加算タイマの計時時間を参照し、落下による衝撃を受けてから所定時間（例えば、５秒）が経過したか否かを調べ（ステップＡ８）、所定時間の経過前であれば、上述のステップＡ７に戻る。ここで、５秒が経過する前に振動を受けたときには（ステップＡ７でＹＥＳ）、拾い上げられたと判断して、図４のフローから抜ける。
【００２９】
また、５秒が経過しても振動を受けなければ（ステップＡ８でＹＥＳ）、落としたまま放置された可能性が高いので、報知部２０を構成するスピーカを駆動し、大音量の連続音（アラーム音）を発生させることで、放置されていることを知らせるアラーム報知処理を実行したのち（ステップＡ９）、衝撃センサ２３をアクセスして加速度（振動）の有無を調べる（ステップＡ１０）。このアラーム報知によってユーザ本人が落としたことに気付き、拾い上げたときには、その行為によって振動が加わるが、振動が無く、放置されたままであれば（ステップＡ１０でＮＯ）、加算タイマの計時時間を参照し、落下による衝撃を受けてから所定時間（例えば、１０秒）が経過したかを調べる（ステップＡ１１）。
【００３０】
いま、落としてから１０秒が経過する前に拾い上げられた場合には（ステップＡ１０でＹＥＳ）、図４のフローから抜けるが、１０秒経過してもユーザ本人が落としたことに気付かず、放置されたままであれば（ステップＡ１１でＹＥＳ）、アドレス帳ＡＤを参照し、「通知先フラグ」がセットされている相手を特定してその「メールアドレス」を読み出し、このメールアドレス宛に携帯電話を落として放置されていることを知らせるメール通知処理を実行する（ステップＡ１２）。例えば、子供が携帯電話を落として放置したままであることをその親のメールアドレス宛に通知する。
【００３１】
以上のように、この第１実施例において中央制御部１１は、衝撃センサ２３によって所定の衝撃を受けたことが検出されてから所定時間が経過したか否かに応じて放置されている可能性があるか否かを判別し、放置の可能性があれば、その旨を知らせるアラーム報知処理、メール通知処理を実行するようしたので、従来のように、何かにぶつけただけで通知が行われてしまうことはなく、無駄な通知、報知を回避することができ、信頼性を高めることが可能となる。
【００３２】
中央制御部１１は、衝撃センサ２３からの検出信号の推移を時系列的に監視することによって装置本体に所定の衝撃が加わったか否かを判別するようにしたので、何かにぶつけたときの衝撃か、落としたことによる衝撃かを的確に区別することができる。
【００３３】
衝撃センサ２３によって検出された衝撃が第１レベル以上で第２レベル未満であれば、体温センサ２４、導体センサ２５の検出信号に基づいて装置本体が把持されているか否かをチェックし、衝撃を受けたときに手に持たれていなければ、装置本体を落とした可能性があると判断することができる。
【００３４】
中央制御部１１は、放置される可能性があれば、その旨を知らせるアラーム報知処理及びメール通知処理を実行するようにしたので、紛失防止効果が高いものとなる。この場合、アラーム処理を実行したのち、所定時間の経過時にメール通知処理を実行するようにしたので、アラーム報知でユーザ本人が落としたことに気付かなかった場合にメール通知処理を行うことができ、実情に即したものとなる。
【００３５】
なお、上述した第１実施例においては、衝撃センサ２３によって検出された衝撃が第１レベル以上で第２レベル未満である場合に、体温センサ２４、導体センサ２５の検出信号に基づいて装置本体が把持されているか否かをチェックするようにしたが、装置本体が把持されていないことを条件に衝撃センサ２３をアクセスして衝撃の有無をチェックするようにしてもよい。
（実施例２）
【００３６】
以下、この発明の第２実施例について図５を参照して説明する。
なお、上述した第１実施例においては、所定の衝撃を受けてから所定時間の経過を条件に、放置の可能性をアラーム報知、メール通知するようにしたが、この第２実施例においては、所定の衝撃を受けた際に装置本体が使用状態にないことを条件に、放置の可能性をアラーム報知、メール通知するようにしたものである。
ここで、両実施例において基本的あるいは名称的に同一のものは、同一符号を付して示し、その説明を省略すると共に、以下、第２実施例の特徴部分を中心に説明するものとする。
【００３７】
図５は、衝撃センサ２３による衝撃検出で実行開始される第２実施例の特徴部分を示したフローチャートであり、この図５のフローから抜けた際には、全体動作のフロー（図示省略）に戻る。
先ず、中央制御部１１は、衝撃センサ２３からの検出信号を定期的（例えば、１秒毎）に監視しており、その検出信号に応じて装置本体に衝撃が加わったことの検出で、図５のフローを実行開始し、その衝撃強度は所定レベル以上かを判別する（ステップＢ１）。ここで、衝撃が小さく所定レベル未満の衝撃であれば（ステップＢ１でＮＯ）、装置本体を落としたことによる衝撃ではないと判断して図５のフローから抜けるが、所定レベル以上の衝撃であれば（ステップＢ１でＹＥＳ）、装置本体を落とした可能性があると判断してステップＢ２に移り、スタイル検出センサ２１の検出信号に基づいてオープンスタイルの状態にあるかを判別することによって装置本体が使用状態にあるかを調べる。
【００３８】
クローズスタイルの状態で所定レベル以上の衝撃を受けた場合には（ステップＢ２でＮＯ）、落下による衝撃の可能性が高いので、報知部２０を構成するスピーカを駆動してアラーム報知を行ったのち（ステップＢ４）、落下による衝撃を受けてからの経過時間を計時する加算タイマ（図示せず）をスタートさせる（ステップＢ５）。また、オープンスタイルの状態で所定レベル以上の衝撃を受けた場合には（ステップＢ２でＹＥＳ）、例えば、電話発信処理、メール作成処理などの所定アプリケーションの動作中かを判別することによって装置本体が使用状態にあるかを調べる（ステップＢ３）。いま、アプリケーション動作中（使用中）であれば、落としたことによる衝撃ではないと判断して図５のフローから抜けるが、オープンスタイルであっても使用中でなければ（ステップＢ３でＮＯ）、落下による衝撃の可能性が高いので、アラーム報知と共に（ステップＢ４）、上述の加算タイマをスタートさせる（ステップＢ５）。
【００３９】
そして、落下による衝撃を受けてから所定時間（例えば、５秒）が経過するまでの間に、アラーム報知を切る操作が行われたかを調べ（ステップＢ６、Ｂ７）、ユーザ本人が落としたことに気付いて５秒が経過する前に当該操作が行われた場合には（ステップＢ６でＹＥＳ）、図５のフローから抜けるが、５秒経過してもアラーム報知を切る操作が行われなければ（ステップＢ７でＮＯ）、アドレス帳ＡＤを参照し、「通知先フラグ」がセットされている相手を特定してその「メールアドレス」を読み出し、このメールアドレス宛に携帯電話を落として放置されていることを知らせるメール通知処理を実行する（ステップＢ８）。
【００４０】
以上のように、この第２実施例において中央制御部１１は、衝撃センサ２３によって所定の衝撃を受けたことが検出された場合に装置本体が使用状態にあるか否かに応じて放置されている可能性があるか否かを判別し、放置の可能性があれば、その旨を知らせるアラーム報知処理、メール通知処理を実行するようしたので、従来のように、使用中であっても何かにぶつけただけで通知が行われてしまうことはなく、無駄な通知、報知を回避することができ、信頼性を高めることが可能となる。
【００４１】
中央制御部１１は、使用状態を判別するほか、使用状態にないと判別してから所定時間が経過した場合には、装置本体を落として放置されている可能性が高いと判断することができる。
【００４２】
スタイル検出センサ２１の検出信号に基づいてオープンスタイルの状態にあるか否かを判別することによって装置本体が使用状態にあるかを調べ、クローズスタイルの状態で衝撃を受けた場合には、落下による衝撃の可能性が高い判断することができる。
【００４３】
電話発信処理、メール作成処理などの所定アプリケーションの動作中かを判別することによって装置本体が使用状態にあるか否かをチェックするようにしたので、アプリケーションの非動作中に衝撃を受けた場合には、落下による衝撃の可能性が高い判断することができる。
【００４４】
なお、上述した第２実施例においては、折畳型（開閉型）の携帯電話装置を例示とたが、表示部側筐体１と操作部側筐体２とをスライド可能なスライド型の携帯電話装置、あるいは表示部側筐体１を１８０°回転可能な２軸型の携帯電話装置などであってもよい。
（実施例３）
【００４５】
以下、この発明の第３実施例について図６を参照して説明する。
なお、上述した第１実施例においては、衝撃センサ２３による衝撃検出で装置本体が落とされてから所定時間が経過したかに応じて放置されたか否かを判別するようにしたが、この第３実施例においては環境が変化（周囲の明るさが変化）してから所定時間が経過したかに応じて放置されたか否かを判別するようにしたものである。
ここで、第１及び第３実施例において基本的あるいは名称的に同一のものは、同一符号を付して示し、その説明を省略すると共に、以下、第３実施例の特徴部分を中心に説明するものとする。
【００４６】
図６は、光センサ２６による外光変化の検出で実行開始される第３実施例の特徴部分を示したフローチャートであり、この図６のフローから抜けた際には、全体動作のフロー（図示省略）に戻る。
先ず、中央制御部１１は、光センサ２６からの検出信号を定期的（例えば、１秒毎）に監視しており、その検出信号に応じて環境の明るさが“明”から“暗”に変化したり、 “暗”から“明”に変化した場合に、携帯電話がユーザのポケットあるいはカバンなどから落ちたり、はみ出たり、何かの下に隠れたりしている可能性が高いと判断して、図６のフローを実行開始し、報知部２０を構成するスピーカを駆動して小音量の単一音（アラーム音）を発生させたのち（ステップＣ１）、外光が変化（環境が変化）してからの経過時間を計時する加算タイマ（図示せず）をスタートさせる（ステップＣ２）。
【００４７】
このように装置本体居を落としたり、はみ出たり、何かの下に隠れたりしてユーザから離れたことが外光変化によって検出されると、中央制御部１１は、体温センサ２４、導体センサ２５をＯＮ（駆動）させたのち（ステップＣ３）、ユーザから離れてから所定時間（例えば、５秒）が経過する前に、装置本体が拾い上げられたかを判別する（ステップＣ４、Ｃ５）。すなわち、体温センサ２４、導体センサ２５からの検出信号に基づいて装置本体が把持されたか（拾い上げられたか）を調べ（ステップＣ４）、アラーム報知によってユーザが落としたことに気付き、５秒経過する前に拾い上げた場合には（ステップＣ４でＹＥＳ）、図６のフローから抜けるが、５秒経過しても拾い上げられない場合には（ステップＣ５でＮＯ）、そのまま放置されたと判断してステップＣ６に移り、ＧＰＳ部２２から現在位置を紛失場所として取得したのち、アドレス帳ＡＤを参照し、「通知先フラグ」がセットされている相手を特定してその「メールアドレス」を読み出し、このメールアドレス宛に携帯電話を落として放置されていることを知らせるメールに現在位置（紛失場所）を含めたメールを作成して通知するメール通知処理を実行する（ステップＣ７）。
【００４８】
以上のように、この第３実施例において中央制御部１１は、光センサ２６によって周囲の明るさが変化したことが検出されてから所定時間が経過したかに応じて放置されたか否かを判別し、放置の可能性があれば、その旨を知らせるアラーム報知処理、メール通知処理を実行するようしたので、従来のように、何かにぶつけただけで通知が行われてしまうことはなく、無駄な通知、報知を回避することができ、信頼性を高めることが可能となる。
【００４９】
光センサ２６によって外光変化が検出された際に、体温センサ２４、導体センサ２５の検出信号に基づいて装置本体が把持されているか否かをチェックし、外光変化の検出時に手に持たれていなければ、ユーザのポケットあるいはカバンなどから落ちたり、はみ出たり、何かの下に隠れたりしている可能性が高いと判断することができる。
【００５０】
中央制御部１１は、放置される可能性があれば、その旨を知らせるアラーム報知処理及びメール通知処理を実行するようにしたので、紛失防止効果が高いものとなる。この場合、アラーム処理を実行したのち、所定時間の経過時にメール通知処理を実行するようにしたので、アラーム報知でユーザ本人が落としたことに気付かなかった場合にメール通知処理を行うことができ、実情に即したものとなる。この場合、現在位置（紛失場所）を含めたメールを作成して通知するようにしたので、何処で紛失したかを確認することができる。
（実施例４）
【００５１】
以下、この発明の第４実施例について図７を参照して説明する。
なお、上述した第３実施例においては、環境が変化（周囲の明るさが変化）してから所定時間が経過したことを条件に、放置の可能性をアラーム報知、メール通知するようにしたが、この第４実施例においては、環境が変化（周囲の明るさが変化）した際に、装置本体が使用状態にないことを条件に、放置の可能性をアラーム報知、メール通知するようにしたものである。
ここで、第１及び第４実施例において基本的あるいは名称的に同一のものは、同一符号を付して示し、その説明を省略すると共に、以下、第４実施例の特徴部分を中心に説明するものとする。
【００５２】
図７は、光センサ２６による外光変化の検出で実行開始される第４実施例の特徴部分を示したフローチャートであり、この図４のフローから抜けた際には、全体動作のフロー（図示省略）に戻る。
先ず、中央制御部１１は、光センサ２６からの検出信号を定期的（例えば、１秒毎）に監視しており、その検出信号に応じて環境の明るさが“暗”から“明”に変化した場合には（ステップＤ１）、携帯電話がユーザのポケットあるいはカバンなどから落ちたり、はみ出たりした可能性が高いと判断して、ステップＤ２に移り、例えば、電話発信処理、メール作成処理などの所定アプリケーションの動作中かを判別することによって装置本体が使用状態にあるかを調べる（ステップＤ２）。
【００５３】
いま、アプリケーション動作中（使用中）であれば、ポケットから落ちたことなどによる外光変化ではないと判断して図６のフローから抜けるが、所定アプリケーションの動作中でなければ（ステップＤ２でＮＯ）、ポケットから落ちたことなどによる外光変化の可能性が高いので、アラーム報知と共に（ステップＤ３）、上述の加算タイマをスタートさせる（ステップＤ４）。そして、外光変化から所定時間（例えば、５秒）が経過するまでの間に、アラーム報知を切る操作が行われたかを調べ（ステップＤ５、Ｄ６）、ユーザ本人が落としたことなどに気付いて５秒が経過する前に当該操作が行われた場合には、図５のフローから抜ける。
【００５４】
また、５秒経過してもアラーム報知を切る操作が行われなければ（ステップＤ６でＹＥＳ）、ＧＰＳ部２２から現在位置を紛失場所として取得したのち（ステップＤ７）、アドレス帳ＡＤを参照し、「通知先フラグ」がセットされている相手を特定してその「メールアドレス」を読み出し、このメールアドレス宛に携帯電話を落として放置されていることを知らせるメールに現在位置（紛失場所）を含めたメールを作成して通知するメール通知処理を実行する（ステップＤ８）。
【００５５】
以上のように、この第４実施例において中央制御部１１は、光センサ２６によって周囲の明るさが変化したことが検出された場合に装置本体が使用状態にあるか否かに応じて放置されている可能性があるか否かを判別し、放置の可能性があれば、その旨を知らせるアラーム報知処理、メール通知処理を実行するようしたので、従来のように、何かにぶつけただけで通知が行われてしまうことはなく、無駄な通知、報知を回避することができ、信頼性を高めることが可能となる。その他、この第４実施例においても上述した第１実施例及び第２実施例と同様の効果を有する。
【００５６】
なお、上述した第４実施例においては、外光変化を検出するようにしたが、外光変化と共に、体温センサ２４、導体センサ２５の検出信号に基づいて装置本体が把持されているか否かを判別するようにしてもよい。この場合、装置本体が把持されていないことを条件に、外光変化を検出するようにしてもよい。
【００５７】
また、上述した第４実施例においては、所定アプリケーションの動作中かを判別することによって装置本体が使用状態にあるかを判別するようにしたが、上述した第２実施例と同様に、スタイル検出センサ２１の検出信号に基づいてオープンスタイルの状態にあるか否かを判別することによって装置本体が使用状態にあるか否かを判別するようにしてもよい。
【００５８】
上述した各実施例においては、装置本体が放置されたままかを判別するための所定時間として、“５秒”、“１０秒”を例示したが、この時間をユーザ操作によって任意に設定可能としてもよい。
その他、上述した各実施例においては、携帯電話装置に限らず、例えば、ＰＤＡ、電子カメラ、電子腕時計、音楽再生機などの携帯端末装置であっても同様に適用可能である。
【図面の簡単な説明】
【００５９】
【図１】携帯端末装置として適用した携帯電話装置の外観図で、（Ａ）は、装置本体を折り畳んで閉じた状態を示し、（Ｂ）は、装置本体を開いた状態を示した図。
【図２】携帯電話装置の基本的な構成要素を示したブロック図。
【図３】アドレス帳ＡＤを説明するための図。
【図４】衝撃センサ２３による衝撃検出で実行開始される第１実施例の特徴部分を示したフローチャート。
【図５】衝撃センサ２３による衝撃検出で実行開始される第２実施例の特徴部分を示したフローチャート。
【図６】光センサ２６による外光変化の検出で実行開始される第３実施例の特徴部分を示したフローチャート。
【図７】光センサ２６による外光変化の検出で実行開始される第４実施例の特徴部分を示したフローチャート。
【符号の説明】
【００６０】
１  表示部側筐体
２  操作部側筐体
１１  中央制御部
１３  記憶部
１４  無線通信部
１８  表示部
１９  操作部
２０  報知部
２１  スタイル検出センサ
２２  ＧＰＳ部
２３  衝撃センサ
２４  体温センサ
２５  導体センサ
２６  光センサ
【図１】
2008244537.tif 000003
【図２】
2008244537.tif 000004
【図３】
2008244537.tif 000005
【図４】
2008244537.tif 000006
【図５】
2008244537.tif 000007
【図６】
2008244537.tif 000008
【図７】
2008244537.tif 000009